(57)【要約】  【課題】飲料を調合するレシピの設定を分かりやすくし、設定の間違いを防止できるカップ式飲料自動販売機の設定装置11を提供する。  【解決手段】原料名設定手段19により、複数種類の飲料原料を収納する複数のキャニスタ毎に予め設定されている飲料コードを表示部14で表示させ、これら飲料コード毎に入力部15で入力される原料名を設定する。レシピ設定手段20により、原料名設定手段19によって設定された原料名を用いて飲料コード毎に飲料を調合するレシピを表示部14で表示させ、レシピを設定する。飲料を調合するレシピを原料名で確認可能とし、レシピの設定を分かりやすくし、設定の間違いを防止する。  【選択図】図１
2006031327.tif 000002
【特許請求の範囲】
【請求項１】
設定用の画面を表示する表示部と、
原料名を入力する入力部と、
複数種類の飲料原料を種類別に収納する複数のキャニスタ毎に予め設定されている飲料コードを前記表示部で表示させ、これら飲料コード毎に前記入力部で入力される原料名を設定する原料名設定手段と、
この原料名設定手段によって設定された原料名を用いて飲料コード毎に飲料を調合するレシピを前記表示部で表示させ、レシピを設定するレシピ設定手段と
を具備していることを特徴とするカップ式飲料自動販売機の設定装置。
【請求項２】
複数のキャニスタ毎に予め設定されている飲料コードには任意の飲料に設定可能な飲料コードと特定の原料名が予め設定された飲料コードとが含まれ、
原料名設定手段は、任意の飲料に設定可能な飲料コードについて入力部で入力される原料名を設定する
ことを特徴とする請求項１記載のカップ式飲料自動販売機の設定装置。
【請求項３】
原料名設定手段は、少なくとも１つの飲料コードに全ての飲料に添加可能とする添加用原料の添加用原料名を設定可能とし、
レシピ設定手段は、前記原料名設定手段で添加用原料名を設定した場合、原料名を用いて飲料コード毎に飲料を調合するレシピを表示部で表示させる際に添加用原料名を加えて飲料を調合するレシピを表示させ、レシピを設定する
ことを特徴とする請求項１または２記載のカップ式飲料自動販売機の設定装置。
【請求項４】
入力部は、原料名を入力する文字入力とレシピを設定する数値入力との切換可能なテンキーである
ことを特徴とする請求項１ないし３いずれか記載のカップ式飲料自動販売機の設定装置。
【発明の詳細な説明】
【技術分野】
【０００１】
本発明は、飲料のレシピを設定するカップ式飲料自動販売機の設定装置に関する。
【背景技術】
【０００２】
従来、飲料原料から飲料を調合し、カップに入れて提供販売するカップ式飲料自動販売機では、販売機本体内に設置される複数のキャニスタに複数種類の飲料原料を種類別に収納しておき、購入者による飲料の選択により、その飲料について予め設定されたレシピに従って、１種類あるいは複数種類の飲料原料を用いて飲料を調合している（例えば、特許文献１参照。）。
【０００３】
このようなカップ式飲料自動販売機を設置して立ち上げる場合などには、複数のキャニスタに複数種類の飲料原料を種類別に収納し、これら飲料原料を用いて各飲料を調合するレシピを設定する設定作業が行なわれている。この設定作業は機内に設置されている表示部およびに入力部を有する係員用操作部にて行なわれている。
【０００４】
キャニスタ毎に対応して固有のキャニスタコードがそれぞれ設定されているとともに、キャニスタコード毎に飲料コードがそれぞれ設定されている。飲料コードには、ミックス、Ｉコーヒー（インスタントコーヒー）、Ｒコーヒー（レギュラーコーヒー）、クリーム、砂糖などがある。ミックスは、ミックス１、ミックス２、ミックス３…というように複数存在し、飲料の主となる飲料原料のほか、主の飲料原料に添加するトッピングクリームなどの添加用飲料原料などを含めて、任意の飲料原料用としている。また、Ｉコーヒー、砂糖、クリームなどは予め固定としている。
【０００５】
そして、飲料を調合するレシピの設定作業では、例えば、飲料コードのミックス１をココアとする場合、ミックス１の設定画面を開くと、表示部でミックス１、ミックス２、ミックス３…などの飲料コード、各飲料コード毎の飲料原料の使用量、湯量などのレシピを表示するため、ココアに対応したミックス１を例えば１０．０ｇに設定し、ココアに不要な他の飲料原料のミックス２、ミックス３…などは０．０ｇにそれぞれ設定する。
【０００６】
同様に、飲料コードのミックス２を他の飲料とする場合、ミックス２の設定画面を開くと、表示部でミックス１、ミックス２、ミックス３…などの飲料コード、各飲料コード毎の飲料原料の使用量、湯量などのレシピを表示するため、ミックス２などの調合に必要な飲料コードの使用量を設定し、ココアに対応したミックス１や他の不要な飲料原料は０．０ｇにそれぞれ設定する。
【特許文献１】特開２００１−９３０４２号公報（第２−４頁、図１）
【発明の開示】
【発明が解決しようとする課題】
【０００７】
しかしながら、飲料を調合するレシピの設定作業では、ミックス１、ミックス２、ミックス３…というように飲料コードを表示するだけで、飲料原料を特定しにくいため、レシピの設定が分かりにくく、設定を間違えやすい問題がある。
【０００８】
本発明は、このような点に鑑みなされたもので、飲料を調合するレシピの設定を分かりやすくし、設定の間違いを防止できるカップ式飲料自動販売機の設定装置を提供することを目的とする。
【課題を解決するための手段】
【０００９】
請求項１記載のカップ式飲料自動販売機の設定装置は、設定用の画面を表示する表示部と、原料名を入力する入力部と、複数種類の飲料原料を種類別に収納する複数のキャニスタ毎に予め設定されている飲料コードを前記表示部で表示させ、これら飲料コード毎に前記入力部で入力される原料名を設定する原料名設定手段と、この原料名設定手段によって設定された原料名を用いて飲料コード毎に飲料を調合するレシピを前記表示部で表示させ、レシピを設定するレシピ設定手段とを具備しているものである。
【００１０】
そして、複数種類の飲料原料を種類別に収納する複数のキャニスタ毎に予め設定されている飲料コード毎に原料名を設定し、設定した原料名を用いて飲料コード毎に飲料を調合するレシピを表示させて設定することにより、飲料を調合するレシピを原料名で確認可能となり、レシピの設定が分かりやすく、設定の間違いが防止される。
【００１１】
請求項２記載のカップ式飲料自動販売機の設定装置は、請求項１記載のカップ式飲料自動販売機の設定装置において、複数のキャニスタ毎に予め設定されている飲料コードには任意の飲料に設定可能な飲料コードと特定の原料名が予め設定された飲料コードとが含まれ、原料名設定手段は、任意の飲料に設定可能な飲料コードについて入力部で入力される原料名を設定するものである。
【００１２】
そして、任意の飲料に設定可能な飲料コードと特定の原料名が予め設定された飲料コードとのうち、任意の飲料に設定可能な飲料コードについて原料名を設定することにより、全ての飲料コードに原料名を設定して利用可能になる。
【００１３】
請求項３記載のカップ式飲料自動販売機の設定装置は、請求項１または２記載のカップ式飲料自動販売機の設定装置において、原料名設定手段は、少なくとも１つの飲料コードに全ての飲料に添加可能とする添加用原料の添加用原料名を設定可能とし、レシピ設定手段は、前記原料名設定手段で添加用原料名を設定した場合、原料名を用いて飲料コード毎に飲料を調合するレシピを表示部で表示させる際に添加用原料名を加えて飲料を調合するレシピを表示させ、レシピを設定するものである。
【００１４】
そして、少なくとも１つの飲料コードに全ての飲料に添加可能とする添加用原料の添加用原料名を設定した場合、原料名を用いて飲料コード毎に飲料を調合するレシピを表示部で表示させる際に添加用原料名を加えて飲料を調合するレシピを表示させることにより、添加用原料を含むレシピの設定も容易になる。
【００１５】
請求項４記載のカップ式飲料自動販売機の設定装置は、請求項１ないし３いずれか記載のカップ式飲料自動販売機の設定装置において、入力部は、原料名を入力する文字入力とレシピを設定する数値入力との切換可能なテンキーであるものである。
【００１６】
そして、原料名を入力する文字入力とレシピを設定する数値入力との切換可能なテンキーを用いることにより、入力部の構成が簡単になる。
【発明の効果】
【００１７】
請求項１記載のカップ式飲料自動販売機の設定装置によれば、複数種類の飲料原料を種類別に収納する複数のキャニスタ毎に予め設定されている飲料コード毎に原料名を設定し、設定した原料名を用いて飲料コード毎に飲料を調合するレシピを表示させて設定できることにより、飲料を調合するレシピを原料名で確認でき、レシピの設定が分かりやすく、設定の間違いを防止できる。
【００１８】
請求項２記載のカップ式飲料自動販売機の設定装置によれば、請求項１記載のカップ式飲料自動販売機の設定装置の効果に加えて、任意の飲料に設定可能な飲料コードと特定の原料名が予め設定された飲料コードとのうち、任意の飲料に設定可能な飲料コードについて原料名を設定することにより、全ての飲料コードに原料名を設定して利用できる。
【００１９】
請求項３記載のカップ式飲料自動販売機の設定装置によれば、請求項１または２記載のカップ式飲料自動販売機の設定装置の効果に加えて、少なくとも１つの飲料コードに全ての飲料に添加可能とする添加用原料の添加用原料名を設定した場合、原料名を用いて飲料コード毎に飲料を調合するレシピを表示部で表示させる際に添加用原料名を加えて飲料を調合するレシピを表示させることにより、添加用原料を含むレシピの設定も容易にできる。
【００２０】
請求項４記載のカップ式飲料自動販売機の設定装置によれば、請求項１ないし３いずれか記載のカップ式飲料自動販売機の設定装置の効果に加えて、原料名を入力する文字入力とレシピを設定する数値入力との切換可能なテンキーを用いることにより、入力部の構成を簡単にできる。
【発明を実施するための最良の形態】
【００２１】
以下、本発明の一実施の形態を図面を参照して説明する。
【００２２】
まず、カップ式飲料自動販売機は、購入者により貨幣が投入されて選択された飲料を原料から調合してカップに入れたカップ入り飲料を提供販売するもので、機体の前面には購入者が操作する接客部が配設され、機体内には接客部で選択された飲料を原料から調合する調合手段および接客部の操作に応じて調合手段を制御する制御部などが配設されている。
【００２３】
調合手段は、複数種類の飲料原料を種類別に収納して設定された任意の量ずつ供給する複数のキャニスタ、湯を沸かして供給する湯供給手段、冷水を作成して供給する冷水供給手段、炭酸水を作成して供給する炭酸水供給手段、氷を作成して供給する氷供給手段、飲料原料としてコーヒー豆を用いたレギュラーコーヒーの場合にコーヒー豆を挽くコーヒーミルや挽いたコーヒー豆からコーヒー液を抽出する抽出手段、カップを収納して供給するカップ供給手段などを有している。
【００２４】
機体内には、係員により飲料の種類を設定したり飲料を調合するレシピを設定する設定装置が配置されている。
【００２５】
図１には、設定装置11のブロック図を示し、この設定装置11は、調合手段を含めてカップ式飲料自動販売機を制御する制御部12、および係員が操作する係員操作部13などを有している。
【００２６】
係員操作部13には、図２ないし図４に示すように設定用の画面を表示する例えば液晶表示器などの表示部14、および原料名の入力や各種設定事項を入力する入力部15が配設されている。入力部15は、原料名を入力する原料名入力手段、およびレシピを設定するレシピ設定手段の機能を有し、図５に示すように原料名を入力する文字入力とレシピを設定する数値入力との切換可能なテンキー16が用いられる。このテンキー16は、文字入力と数値入力とを切り換える切換キー17を備え、文字入力時には各行のキーを続けて押すことで各行の中から任意の文字を選択設定できる。
【００２７】
制御部12は、原料名やレシピなどの各種設定事項を記憶する記憶部18を有している。そして、制御部12は、複数種類の飲料原料を種類別に収納する複数のキャニスタ毎に予め設定されている飲料コードを表示部14で表示させ、これら飲料コード毎に入力部15で入力される原料名を設定する原料名設定手段19の機能と、この原料名設定手段19によって設定された原料名を用いて飲料コード毎に飲料を調合するレシピを表示部14で表示させ、レシピを設定するレシピ設定手段20の機能とを有している。
【００２８】
複数のキャニスタ毎に予め設定されている飲料コードには任意の飲料に設定可能な飲料コードと特定の原料名が予め設定された飲料コードとが含まれ、原料名設定手段19は、任意の飲料に設定可能な飲料コードについて入力部15で入力される原料名を設定する機能を有している。
【００２９】
原料名設定手段19は、少なくとも１つの飲料コードに全ての飲料に添加可能とする添加用原料の添加用原料名を設定可能とし、また、レシピ設定手段20は、原料名設定手段19で添加用原料名を設定した場合、原料名を用いて飲料コード毎に飲料を調合するレシピを表示部14で表示させる際に添加用原料名を加えて飲料を調合するレシピを表示させ、レシピを設定する機能を有している。
【００３０】
次に、飲料の設定について説明する。
【００３１】
カップ式飲料自動販売機を設置して立ち上げる際、複数種類の飲料原料を種類別に複数のキャニスタに収納する。このとき、インスタントコーヒー、砂糖、クリームなどは予め設定されているキャニスタに収納し、レギュラーコーヒーは予め設定されるレギュラーコーヒー用のキャニスタに収納し、その他の種類の飲料原料は残りの各キャニスタに収納する。
【００３２】
係員操作部13を操作して原料名の設定画面を選択して開き、図２に示すように表示部14で原料名の設定画面を表示させる。この設定画面では、複数のキャニスタ毎に対応して予め設定されているキャニスタコード（キャニスタ番号）CN01〜CN09を表示するとともに、これらキャニスタコードCN01〜CN09毎に対応して初期設定で予め設定されている飲料コードを表示する。飲料コードとしては、キャニスタコードCN01〜CN04に任意の原料名の設定が可能なミックス１〜４が表示され、キャニスタコードCN08〜CN09に任意のコーヒー豆の原料名の設定が可能なＲコーヒー（レギュラーコーヒー）１〜２が表示され、キャニスタコードCN05〜CN07には特定の原料名であるＩコーヒー（インスタントコーヒー）、サトウ、クリームが表示される。
【００３３】
したがって、上述したその他の種類の飲料原料を残りの各キャニスタに収納する際には、ミックス１〜４に対応するキャニスタに収納する。
【００３４】
そして、例えば、キャニスタコードCN01に対応するキャニスタにココアを収納し、飲料コードのミックス１にココアの原料名を設定する場合、係員操作部13の操作により表示部14に表示されている飲料コードのミックス１を選択し、テンキー16の切換キー17によって文字入力に切り換え、テンキー16でココアを入力する。これにより、図３に示すように表示部14ではミックス１に代えてココアと表示し、記憶部18にはキャニスタコードCN01およびミックス１に対応してココアを登録する。
【００３５】
同様にして、キャニスタコードCN02に対応するキャニスタにミルクティを収納し、飲料コードのミックス２に原料名としてミルクティを入力設定する。キャニスタコードCN03に対応するキャニスタにレモンティを収納し、飲料コードのミックス３に原料名としてレモンティを入力設定する。キャニスタコードCN04に対応するキャニスタにＴクリーム（トッピングクリーム）を収納し、飲料コードのミックス４に原料名としてＴクリームを入力設定する。Ｔクリームは、全ての飲料に添加可能とする添加用原料の添加用原料名である。
【００３６】
さらに、キャニスタコードCN08に対応するキャニスタにモカのコーヒー豆を収納し、飲料コードのＲコーヒー１に原料名としてモカを入力設定する。キャニスタコードCN09に対応するキャニスタにキリマンのコーヒー豆を収納し、飲料コードのＲコーヒー２に原料名としてキリマンを入力設定する。
【００３７】
したがって、図３に示すように、全てのキャニスタコードCN01〜CN09毎に対応した飲料コードに、原料名を表示する。
【００３８】
続いて、係員操作部13を操作して例えばミックス１のレシピの設定画面を選択して開き、図４に示すように表示部14で表示させる。この設定画面では、飲料コードに対応して設定された原料名を用い、ミックス１の商品名（飲料名）としてココアを表示し、ミックス１の飲料原料としてココアを表示してその使用量を表示し、ミックス４の飲料原料としてＴクリームを表示してその使用量を表示し、ユリョウを表示してココアの原料を溶かす湯量を表示し、ココアの原料と湯とを攪拌する時間としてカクハンジカンを表示する。Ｔクリームについては、原料名の設定の際にＴクリームを入力設定したことにより、全ての飲料に添加される可能性があるため、全ての飲料のレシピに自動的に加えて表示する。
【００３９】
レシピの設定では、テンキー16の切換キー17によって数値入力に切り換え、テンキー16で使用量の数値を入力する。ココアの場合、ココアの項目を選択して１０．０ｇを入力し、Ｔクリームは不要であるためその項目を選択して０．０ｇに入力し、ユリョウおよびカクハンジカンはそれぞれ選択して所定の数値を入力する。このように入力されたレシピを記憶部18に登録し、ココアの販売時には記憶部18に登録されたレシピに基づいてココアを調合する。
【００４０】
同様にして、係員操作部13を操作してミックス２、ミックス３、Ｒコーヒー１、Ｒコーヒー２の各レシピの設定画面を選択して開き、各レシピをそれぞれ設定し、記憶部18にそれぞれ登録する。
【００４１】
このように、複数種類の飲料原料を種類別に収納する複数のキャニスタ毎に予め設定されている飲料コード毎に原料名を設定し、設定した原料名を用いて飲料コード毎に飲料を調合するレシピを表示させて設定できることにより、飲料を調合するレシピを原料名で確認でき、レシピの設定が分かりやすく、設定の間違いを防止できる。
【００４２】
また、任意の飲料に設定可能な飲料コードと特定の原料名が予め設定された飲料コードとのうち、任意の飲料に設定可能な飲料コードについて原料名を設定することにより、全ての飲料コードに原料名を設定して利用できる。
【００４３】
また、少なくとも１つの飲料コードに全ての飲料に添加可能とするＴクリームなどの添加用原料の添加用原料名を設定した場合、原料名を用いて飲料コード毎に飲料を調合するレシピを表示部で表示させる際に添加用原料名を加えて飲料を調合するレシピを表示させることにより、添加用原料を含むレシピの設定も容易にできる。
【００４４】
また、原料名を入力する文字入力とレシピを設定する数値入力との切換可能なテンキー16を用いることにより、入力部15の構成を簡単にできる。
【００４５】
なお、飲料コード毎に設定された原料名は、設定時以外にも利用でき、例えば、飲料コード別の販売数を表示するときやプリンタで印字出力するときに、飲料コード別で表示するのではなく、ココアやミルクティといった飲料の原料名つまり商品名で表示こともでき、分かりやすくできる。
【図面の簡単な説明】
【００４６】
【図１】本発明の一実施の形態を示すカップ式飲料自動販売機の設定装置のブロック図である。
【図２】同上設定装置の表示部で原料名の設定画面を表示した正面図である。
【図３】同上設定装置の表示部で原料名を入力した設定画面の正面図である。
【図４】同上設定装置の表示部でレシピの設定画面を表示した正面図である。
【図５】同上設定装置の入力部の正面図である。
【符号の説明】
【００４７】
11    設定装置
14    表示部
15    入力部
16    テンキー
19    原料名設定手段
20    レシピ設定手段
【図１】
2006031327.tif 000003
【図２】
2006031327.tif 000004
【図３】
2006031327.tif 000005
【図４】
2006031327.tif 000006
【図５】
2006031327.tif 000007